(57)【要約】【課題】自動販売機本体に厚さ寸法の異なる扉を容易に取付けることのできる自動販売機を提供する。【解決手段】厚さ寸法Ｔ１及び厚さ寸法Ｔ２の外扉２０を、所定の回転中心の位置において自動販売機本体１０に連結可能な連結部材を備え、自動販売機本体の開口部の幅方向一端側の枠部１３の内面と外扉２０の外面との間に、厚さ寸法Ｔ２の外扉２０が回転可能な隙間を設けたので、厚さ寸法の大きい外扉２０を蝶番金具２４を変更することなく自動販売機本体１０に取付けることができ、部品点数及び組付け工数の低減を図ることが可能となる。【選択図】図５
2007328681.tif 000002
【特許請求の範囲】
【請求項１】
前面に開口部を有し、開口部の周縁に亘って前方に延びる枠部が設けられた自動販売機本体と、幅方向一端側が自動販売機本体に回転自在に連結され、少なくとも後面側が枠部内に位置するように設けられ、自動販売機本体の開口部を開閉可能な扉とを備えた自動販売機において、
厚さ寸法の異なる扉を、所定の回転中心の位置において自動販売機本体に連結可能な連結部材を備え、
開口部の幅方向一端側の枠部の内面と扉の外面との間に、自動販売機本体に連結される扉の厚さ寸法のうち最大の厚さ寸法の扉が回転可能な隙間を設けた
ことを特徴とする自動販売機。
【発明の詳細な説明】
【技術分野】
【０００１】
本発明は、缶、ビンまたはペットボトル入り飲料等の商品を冷却して販売する自動販売機に関するものである。
【背景技術】
【０００２】
従来、この種の自動販売機としては、前面に開口部を有し、開口部の周縁に亘って前方に延びる枠部が設けられた自動販売機本体と、幅方向一端側に自動販売機本体と連結させる連結部が設けられ、幅方向一端側が自動販売機本体に回転自在に連結され、少なくとも後面側が枠部内に位置するように設けられ、自動販売機本体の開口部を開閉可能な扉とを備えたものが知られている（例えば、特許文献１参照）。
【０００３】
この自動販売機は、扉が複層ガラスによって構成され、自動販売機本体内が視認可能となっている。また、この自動販売機は、自動販売機本体内を冷却することにより、自動販売機本体内に収納された商品を冷却して販売するようになっている。
【特許文献１】特許第３１８８１９１号公報
【発明の開示】
【発明が解決しようとする課題】
【０００４】
ところで、従来の自動販売機では、扉の断熱性能が自動販売機本体の断熱性能と比較して低いため、自動販売機本体内の設定温度や自動販売機の設置環境などに応じて断熱性能の高い扉を使用する必要がある。
【０００５】
しかしながら、断熱性能の高い扉は厚さ寸法が異なるため、自動販売機本体に扉を取付けるためには、開口部を開閉する扉の移動軌跡が自動販売機本体に干渉しないように別途専用の蝶番金具によって自動販売機に扉を取付けなければならず、部品点数や組付け工数が多くなるという問題点があった。
【０００６】
本発明は前記問題点に鑑みてなされたものであり、その目的とするところは、自動販売機本体に厚さ寸法の異なる扉を容易に取付けることのできる自動販売機を提供することにある。
【課題を解決するための手段】
【０００７】
本発明は前記目的を達成するために、前面に開口部を有し、開口部の周縁に亘って前方に延びる枠部が設けられた自動販売機本体と、幅方向一端側が自動販売機本体に回転自在に連結され、少なくとも後面側が枠部内に位置するように設けられ、自動販売機本体の開口部を開閉可能な扉とを備えた自動販売機において、厚さ寸法の異なる扉を、所定の回転中心の位置において自動販売機本体に連結可能な連結部材を備え、開口部の幅方向一端側の枠部の内面と扉の外面との間に、自動販売機本体に連結される扉の厚さ寸法のうち最大の厚さ寸法の扉が回転可能な隙間を設けている。
【０００８】
これにより、開口部の幅方向一端側の枠部の内面と扉の外面との間に、最大の厚さ寸法の扉が回転可能な隙間が設けられていることから、蝶番金具等の連結部材を変更することなく自動販売機本体に扉が取付けられる。
【発明の効果】
【０００９】
本発明によれば、厚さ寸法の大きい扉を、蝶番金具等の連結部材を変更することなく自動販売機本体に取付けることができるので、部品点数及び組付け工数の低減を図ることが可能となる。
【発明を実施するための最良の形態】
【００１０】
図１乃至図５は本発明の一実施形態を示すもので、図１は自動販売機の正面図、図２は自動販売機の側面断面図、図３は外扉の取付状態を示す自動販売機の要部斜視図、図４及び図５は自動販売機本体と外扉の関係を示す要部平面断面図である。
【００１１】
この自動販売機は、前面に開口部を有する自動販売機本体１０と、自動販売機本体１０の開口部の幅方向一端側を開閉可能な外扉２０と、自動販売機本体１０の開口部の幅方向他端側を開閉可能な操作扉３０とを備えている。
【００１２】
自動販売機本体１０は、内部を断熱壁によって幅方向に仕切ることにより、販売用の商品を収納するための商品収納庫１１と硬貨識別装置や紙幣識別装置などの販売に関する機器を収納するための機器収納庫が設けられている。商品収納庫１１と機器収納庫の下方には、図示しない圧縮機、凝縮器等の冷凍機器を収納するための機械室１２が設けられている。また、開口部の端面には、周縁に亘って前方に延びる枠部１３が設けられ、外扉２０と操作扉３０の後側の少なくとも一部が枠部１３内に位置するようになっている。
【００１３】
商品収納庫１１には、複数の商品が前後に並べて収納され、前端側に位置する商品を利用者が取出し可能とするための商品取出機構を備えた商品収納コラム１４が上下方向及び幅方向に複数設けられている。また、商品収納庫１１には、冷却器１５及び冷却器用送風機１６が設けられ、商品収納庫１１内が冷却されるようになっている。
【００１４】
外扉２０は、自動販売機本体１０の幅方向一端側に回転自在に支持され、利用者が商品を取出す際に商品収納庫１１の前面を開閉するようになっている。外扉２０は、外周部に位置する枠部材２１と、枠部材２１に取付けられたガラスや樹脂等の部材からなる複数の透明板２２と、枠部材２１の後面に設けられ、商品収納庫１１の気密を保持するパッキン２３とからなり、各透明板２２の間には空気層が設けられている。外扉２０は、空気層の厚さ寸法を大きくすることにより断熱性能を向上させることが可能となっている。即ち、外扉２０は、断熱性能が高くなる程、厚さ寸法が大きくなる。本実施形態では、断熱性能の異なる厚さ寸法Ｔ１または厚さ寸法Ｔ２（Ｔ１＜Ｔ２）の外扉２０が自動販売機本体１０に取付けられるようになっている。外扉２０は、ネジ止めによって幅方向一端側の上端及び下端が連結部材としての蝶番金具２４を介して自動販売機本体１０に取付けられている。蝶番金具２４は、自動販売機本体１０側の部材２４ａと外扉２０側の部材２４ｂと部材２４ａと部材２４ｂを回転自在に連結する支軸２４ｃとからなる。厚さ寸法Ｔ１及び厚さ寸法Ｔ２の外扉２０はそれぞれ同じ蝶番金具２４によって自動販売機本体１０に取付可能となっている。即ち、厚さ寸法Ｔ１及び厚さ寸法Ｔ２の外扉２０それぞれの回転中心の位置は同じ位置となる。厚さ寸法Ｔ１の外扉２０の幅方向一端の前側の角は、半径Ｒ１の円周上を移動する。また、厚さ寸法Ｔ２の外扉２０の幅方向一端の前側の角は、半径Ｒ２（Ｒ１＜Ｒ２）の円周上を移動する。
【００１５】
また、外扉２０の幅方向一端側の外面と開口部の一端側の枠部１３の内面との間には、厚さ寸法Ｔ２の外扉２０が回転可能な隙間を有している。即ち、外扉２０の回転中心から開口部の一端側の枠部１３の内面までの距離Ｌは、外扉２０の回転中心と厚さ寸法Ｔ２の外扉２０の幅方向一端の前側の角との間の距離Ｒ２よりも大きくなるように形成されている。
【００１６】
操作扉３０は、自動販売機本体１０の幅方向他端側に回転自在に支持され、機器収納庫の前面を開閉するようになっている。また、操作扉３０の前面には、商品選択ボタン、硬貨投入口、紙幣投入口、金額表示部等が設けられている。
【００１７】
以上のように構成された自動販売機において、例えば設置場所の環境条件や商品収納庫内の設定温度などによって、厚さ寸法Ｔ１の外扉２０を厚さ寸法Ｔ２の外扉２０に交換する場合には、蝶番金具２４を交換することなく、外扉２０のみを交換することが可能となる。また、外扉２０の回転中心から開口部の一端側の枠部１３の内面までの距離Ｌは、外扉２０の回転中心と厚さ寸法Ｔ２の外扉２０の幅方向一端側の前側の角との距離Ｒ２よりも大きくなるように形成されていることから、厚さ寸法Ｔ２の外扉２０の開閉動作が枠部１３に妨げられることはない。
【００１８】
このように、本実施形態の自動販売機によれば、厚さ寸法Ｔ１及び厚さ寸法Ｔ２の外扉２０を、所定の回転中心の位置において自動販売機本体１０に連結可能な連結部材を備え、自動販売機本体の開口部の幅方向一端側の枠部１３の内面と外扉２０の外面との間に、厚さ寸法Ｔ２の外扉２０が回転可能な隙間を設けたので、厚さ寸法の大きい外扉２０を蝶番金具２４を変更することなく自動販売機本体１０に取付けることができ、部品点数及び組付け工数の低減を図ることが可能となる。
【図面の簡単な説明】
【００１９】
【図１】本発明の一実施形態を示す自動販売機の正面図
【図２】自動販売機の側面断面図
【図３】外扉の取付状態を示す自動販売機の要部斜視図
【図４】自動販売機本体と外扉の位置関係を示す自動販売機の平面断面図
【図５】自動販売機本体と外扉の位置関係を示す自動販売機の平面断面図
【符号の説明】
【００２０】
１０…自動販売機本体、１３…枠部、２０…外扉、２４…蝶番金具、２４ｃ…支軸。
【図１】
2007328681.tif 000003
【図２】
2007328681.tif 000004
【図３】
2007328681.tif 000005
【図４】
2007328681.tif 000006
【図５】
2007328681.tif 000007